【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
前面吸音板の下端部を折り返して形成したハゼ折返部に、断面コ字状背面遮音板の底辺部の先端に形成した下方折返部を差し込んだハゼ嵌合部によって、前記前面吸音板と背面遮音板の底辺部を止着した吸音板において、前記ハゼ嵌合部の最下点部に、このハゼ嵌合部内部に連通する排水窓を設けたことを特徴とする遮音壁の吸音板。
【請求項２】
前記排水窓は、一定長で等間隔に設けられた請求項１に記載の遮音壁の吸音板。
【請求項３】
前記前面吸音板のハゼ折返部とこれに差し込まれる背面遮音板の下方折返部との間に間隙を設け、前記排水窓に隣接するハゼ折返部に通気孔部を形成した請求項１または２に記載の遮音壁の吸音板。
【手続補正２】
【補正対象書類名】明細書
【補正対象項目名】全文
【補正方法】変更
【補正の内容】
【発明の詳細な説明】
【発明の名称】遮音壁の吸音板
【技術分野】
【０００１】
この発明は、道路などの騒音対策に用いる遮音壁の吸音板に関し、その脆弱性を改良し、耐久性に優れた遮音壁を提供するための吸音板の構造に関する。
【背景技術】
【０００２】
高速道路などの遮音壁は、設置されてから約３５年経過しているが、自然条件や排ガス等の化学物質による表面劣化はあるものの吸音板の基本性能を維持しているので許されている。しかし約２０年経過した頃から部分的劣化が進行し、破断までに至る箇所が頻発し出したため、今後この現象に伴う改良工事の増加は必然である。
例えば図２に示す吸音板は、雨水の溜まる形状であるため、所謂ハゼ折嵌合部Ｐ内部が滞水の常態又は湿気過多状態になる。滞水状態状況下での吸音板の背面材の溶融亜鉛めっき鋼板は、夏場の日射で４５度以上の温水になると亜鉛が溶け出して裸の鉄生地になるため、前面材のアルミ材との間で電食が発生する結果、破断に至るまで腐蝕が進行することが判明している。
また冬季に凍結防止用で塩水が散布される地域での塩水の滞留はその電食による腐蝕と錆を加速する。その欠陥を改良することにより長寿命な吸音板を開発することで建設のトータルコストの低減を図るという時代的要求がある。
【先行技術文献】
【特許文献】
【０００３】
【特許文献１】実用新案登録第３１６７３９２号公報
【発明の概要】
【発明が解決しようとする課題】
【０００４】
現行の遮音壁の吸音板は、構造上雨水が溜まる形状のため、その滞水構造の中で電食の誘発や冬季道路凍結防止材である塩水の影響で金属の腐蝕が進行しているので、滞水と湿気が残留する要因を改善することによって腐蝕原因を除去し製品寿命を倍増させる。
【０００５】
遮音壁の吸音板の耐久性を向上することによって取換、交換時期を伸ばし、保守保全に掛かるランニングコストを低減する。
【課題を解決するための手段】
【０００６】
上記の課題を解決するために、この発明は、前面吸音板の下端部を折り返して形成したハゼ折返部に、断面コ字状背面遮音板の底辺部の先端に形成した下方折返部を差し込んだハゼ嵌合部によって、前記前面吸音板と背面遮音板の底辺部を止着した吸音板において、前記ハゼ嵌合部の最下点部に、このハゼ嵌合部内部に連通する排水窓を設けた構成を採用したのである。
【０００７】
前記排水窓は、一定長で等間隔に設けるのが好ましい。
【０００８】
前記前面吸音板のハゼ折返部とこれに差し込まれる背面遮音板の下方折返部との間に間隙を設け、前記排水窓に隣接するハゼ折返部に通気孔部を形成するのが好ましい。
【０００９】
前記通気孔部の断面形状を半円形にすることができる。
【００１０】
また、前記前面吸音板の下部にエンボス加工を施すことができる。
【発明の効果】
【００１１】
水捌けを良くして内部が乾燥しやすい構造にすることで遮音壁の吸音板の下部のハゼ折嵌合部内部の水分に起因する電食や錆のおこる原因を除去することにより、吸音板の耐久性を向上させることができる。
【００１２】
耐久性が向上することにより、遮音壁の吸音板の補修、取換、交換の施工サイクルを延長出来ることから、膨大な保守保全に掛かっていた費用が低減出来る。
【図面の簡単な説明】
【００１３】
【図１】（ａ）は吸音板の全体構成を示す斜視図、（ｂ）は同上の縦断面図、（ｃ）は前面吸音板と背面遮音板の底辺部のハゼ折嵌合部を示す部分拡大斜視図、（ｄ）はハゼ折嵌合部の部分拡大縦断面図、（ｅ）は前面吸音板及び背面遮音板の必要とする高さを示す拡大縦断面図である。
【図２】（ａ）は従来型吸音板の全体構成を示す斜視図、（ｂ）は同上の縦断面図、（ｃ）は前面吸音板と背面遮音板の底辺部のハゼ折嵌合部の部分拡大斜視図、（ｄ）はハゼ折嵌合部の部分拡大縦断面図である。
【発明を実施するための形態】
【００１４】
図１はこの発明の吸音板を示す。（ａ）は全体構成を示す斜視図で、（ｂ）はその縦断面図である。（ｃ）は前面吸音板１Ａの底辺のハゼ折嵌合部Ｐの拡大斜視図であり、（ｄ）はハゼ折嵌合部Ｐの拡大縦断面図である。（ｅ）は前面吸音板１Ａと背面遮音板２Ａの縦方向寸法を示す図である。
【００１５】
前面吸音板１Ａは、アルミ板、亜鉛鋼板などをガラリ及び多孔に加工しており、下端部を裏側で上方に垂直に折り返して垂直ハゼ折返部１ＡＨを形成する。背面遮音板２Ａは、コの字状に折り曲げた溶融亜鉛めっき鋼板で構成し、コの字の底辺部の先端を下方に垂直に折り返して垂直折返部２ＡＨを形成する。図１（ｄ）に示すように、前面吸音板１Ａの底辺部のハゼ折部に背面遮音板２Ａの垂直折返部２ＡＨを差し込んでハゼ折嵌合部Ｐを構成する。前面吸音板１Ａと背面遮音板２Ａの組み立ては、底辺部をハゼ折部で嵌合させ後に頭頂部をリベットＲで止めるだけで完成できるため、底辺部はリベット等の固定する部材なしに吸音パネルの組立ができる。前面吸音板１Ａと背面遮音板２Ａの間に、ポリエステルウールなどによる吸音材３を詰めることで吸音性能を維持している。ハゼ折嵌合部Ｐには、排水窓５と通気孔部６が一定間隔で交互に設けられている。
【００１６】
排水窓５については、図１（ｃ）に示すように、ハゼ折嵌合部Ｐに等間隔に一定長の大きさで設けることによりハゼ折嵌合部Ｐ内部に雨水が溜まらない構造にする。これで水捌けが良くなり電食腐蝕要因が減る事で耐久性の大幅向上を実現する。
【００１７】
通気孔部６については、等間隔に開けられた夫々の排水窓５と隣接するハゼ折部の谷折の内側最下点部に設けられており、前面吸音板１Ａの底辺部のハゼ折構造の谷折の内側最下点部と、背面遮音板２Ａの底辺の垂直に折返して差込んで嵌合する先端部との間に、間隙空間が出来るように設計することで通気孔部６を確保する結果、常にハゼ折嵌合部Ｐ内部を空気の通気が行われることによって、内部の乾燥状態を維持する事が可能になる為、湿気による劣化要因を除去させる事が出来る。
【００１８】
間隙空間は、図１（ｄ）に示すように前面吸音板１Ａのハゼ折返部寸法１Ｓが背面遮音板２Ａの底辺の垂直折返部寸法２Ｓより長くなるように設計されており、垂直ハゼ折返部１ＡＨの最頂点は背面遮音板２Ａの底辺の垂直に折り返される手前で背面遮音板２Ａの裏側に当接させる事で確実に通気孔部６を確保している。
【００１９】
さらに、間隙空間は、図１（ｅ）に示すように前面吸音板１Ａの最頂点と最下点間の寸法１Ｔが背面遮音板２Ａの上部最頂点と底辺部の垂直折返部最下点間の寸法２Ｔより長くなるように設計する事で確実に通気孔部６を確保している。
【００２０】
内部乾燥効率を高めるために設けられている通気孔部６の両端の通気孔口６Ｂは、形状を直角でなく半円形または斜角に切り取ることによって、その取込口表面積を大きくして空気流入量を増やしている。
【００２１】
前面吸音板１Ａの下部には、タワミ防止のためにエンボス７加工を設けている。エンボス加工には従来品の切込み８加工（図２（ａ）参照）よりも強度アップと水の侵入を防ぐ効果を出す。
【００２２】
図２は従来型の遮音壁の、ハゼ折りにした吸音板の構成を示す。
（ａ）は全体構成を示す斜視図であり、（ｂ）は全体構成を示す縦断面図である。（ｃ）は前面吸音板１Ｂの底辺部のハゼ折嵌合部Ｐの拡大斜視図であり、（ｄ）は底辺部のハゼ折嵌合部Ｐの拡大縦断面図である。
図２（ｂ）に示すように、従来は前面吸音板１Ｂの底辺部をハゼ折にして、背面遮音板２Ｂの底辺部の垂直に折り返した先端部をハゼ折の中に入れた構成にしている。また前面吸音板１Ｂの下部の切込み８は、タワミ防止であるが切込みがあるため水が浸入する要因でもある。図２（ｄ）は水４が滞留している状態を示す。
【産業上の利用可能性】
【００２３】
道路等の社会的インフラは此処３５年高速道路、新幹線は全国的に整備されたものの、構造物に付帯設置された遮音壁の吸音板は腐蝕、劣化が進行し、補修、取換、交換を余儀なくされ、今後十数年間に渡って膨大な保守保全費用が想定される。公共工事予算縮小の中で、社会的インフラは公共財産の観点から長寿命を要求される時代に入っており、その観点からこれからの建設、改良、補修工事に使用される材料のいずれも耐久年数の向上が命題となってくる。
その実現を図るべく数年わたる観察研究を継続した結果、長寿命の吸音板を開発した。この長寿命吸音板の使用で、騒音対策改善の中期長期のランニングコスト低減を実現できる。
【符号の説明】
【００２４】
１Ａ，１Ｂ  前面吸音板
１ＡＨ      前面吸音板１Ａの下端部を裏側上方に折返した垂直ハゼ折返部
１Ｓ        前面吸音板１Ａの垂直ハゼ折返部１ＡＨのハゼ折返部寸法
１Ｔ        前面吸音板１Ａの上部最頂点と底辺部最下点までの寸法
２Ａ，２Ｂ  背面遮音板
２ＡＨ      背面遮音板２Ａのコの字底辺部先端を垂直下方に折返した垂直折返部
２Ｓ        背面遮音板２Ａの底辺部の垂直折返部２ＡＨの垂直折返部寸法
２Ｔ        背面遮音板２Ａの上部最頂点と底辺部垂直折返部最下点までの寸法
３          吸音材
４          滞留水
５          排水窓
６          通気孔部
６Ａ        通気孔
６Ｂ        通気孔口
７          エンボス
８          切込み
Ｐ          ハゼ折嵌合部
Ｒ          前面吸音板と背面遮音板上部結合部のリベット